(57)【要約】【課題】  ユーザ認証後すぐに当該ユーザ固有のカスタマイズ画面が表示されると共に、ユーザがカスタマイズ情報を設定できる画像形成装置を提供する。【解決手段】  ユーザ識別情報５１１を読み取ってユーザ認証を行なうユーザ認証手段１００と、上記ユーザ識別情報５１１に基づいて前もって登録されている当該ユーザのカスタマイズ画面２２０のデータを含むカスタマイズ情報５１２を読み出して、カスタマイズ画面を表示部４１０に表示すると共に、カスタマイズ情報を画像形成手段に送出するカスタマイズ手段２００と、上記カスタマイズ手段からのカスタマイズ情報５１２に基づいて画像情報を形成し、印刷等の画像形成の処理を行なう画像形成手段３００と、を設けて、上記カスタマイズ手段が、上記カスタマイズ情報５１２に基づいて、表示部にデフォルト画面２１０の代わりに上記カスタマイズ画面２２０を表示させる。【選択図】  図１
2007055099.tif 000002
【特許請求の範囲】
【請求項１】
ユーザ識別情報を読み取ってユーザ認証を行なうユーザ認証手段と、上記ユーザ認証手段で読み出したユーザ識別情報に基づいて前もって登録されている当該ユーザのカスタマイズ画面のデータを含むカスタマイズ情報を読み出して、カスタマイズ画面を表示部に表示すると共に、カスタマイズ情報を画像形成手段に送出するカスタマイズ手段と、上記カスタマイズ手段からのカスタマイズ情報に基づいて画像情報を形成し、印刷等の画像形成の処理を行なう画像形成手段と、を設けて、
上記カスタマイズ手段が、上記カスタマイズ情報に基づいて、表示部にデフォルト画面の代わりに上記カスタマイズ画面を表示させる
ことを特徴とする画像形成装置。
【請求項２】
上記カスタマイズ手段が、操作部からの設定内容に対応して上記カスタマイズ情報を更新して、画像形成手段に送出する
ことを特徴とする請求項１に記載の画像形成装置。
【請求項３】
上記カスタマイズ手段が、画像形成手段による画像形成処理の間に、更新されたカスタマイズ情報に基づいて、登録されているカスタマイズ情報を書き換える
ことを特徴とする請求項１に記載の画像形成装置。
【請求項４】
上記カスタマイズ情報が、ユーザ識別情報と共に記録媒体に記録されており、この記録媒体の記録されたカスタマイズ情報が、上記ユーザ識別手段により読み書き可能である
ことを特徴とする、請求項１から３のいずれかに記載の画像形成装置。
【請求項５】
上記カスタマイズ情報が、当該画像形成装置とネットワークを介して接続されたサーバに、上記ユーザ識別情報と関連付けて登録されている
ことを特徴とする請求項１から３のいずれかに記載の画像形成装置。
【発明の詳細な説明】
【技術分野】
【０００１】
本発明は、例えばプリンタ，複合機等の差込印刷，差込コピー機能を備えた画像形成装置に関する。
【背景技術】
【０００２】
従来、例えばプリンタ，複合機等の画像形成装置においては、複数のユーザが共用する場合、各ユーザ毎に所望の操作性を提供するために、各ユーザを識別するための個人識別手段と、識別された各ユーザ毎の機器の動作すなわち操作性の設定をカスタマイズするためのカスタマイズ手段とを備えた画像形成装置が、例えば特許文献１により知られている。
ここで、上記カスタマイズ手段は、各ユーザ毎に、当該ユーザの操作履歴に基づいて学習することにより、その操作性の設定を自動的にカスタマイズすることができるようになっている。
【０００３】
しかしながら、このような構成の画像形成装置においては、ワンタッチキーの設定内容を各ユーザ毎の操作履歴に沿って切り替えるようになっており、カスタマイズ内容は、画像形成装置毎に設定されるようになっている。
このため、各ユーザ毎の微妙に異なる操作への対応が困難であり、また当該ユーザが他の画像形成装置を使用する場合には、改めてインタフェースをカスタマイズする必要がある。
【０００４】
このため、同一機種の画像形成装置であっても、当該ユーザが個々の画像形成装置を使用する場合、個々の画像形成装置毎に操作性が異なることになり、操作性が低下してしまうことがあった。
特に、上記カスタマイズ手段が、当該ユーザの操作履歴に基づいてカスタマイズを行なっているので、当該ユーザが手動でカスタマイズを行なうことはできない。したがって、各画像形成装置のカスタマイズ内容を同じにすることは困難であり、操作性がより低下してしまうことになる。
【０００５】
これに対して、特許文献２には、複数ユーザのカスタマイズ内容をＩＣカードに保存して、個々のユーザが画像形成装置を利用する際に、当該ユーザの固有のＩＣカードに記録されたカスタマイズ内容（使用頻度情報）を読み込んで、画像形成を行なうようにした画像形成装置が開示されている。
【特許文献１】特開２０００−２３１３０９号
【特許文献２】特開２００３−２６６８６０号
【発明の開示】
【発明が解決しようとする課題】
【０００６】
ところで、特許文献２による画像形成装置においては、ユーザが画像形成装置により印刷処理等の画像形成処理を行なおうとする場合、まず最初に個人識別が行なわれた後、画像形成装置の表示部にいわゆるデフォルト画面が表示される。
ここで、ユーザがデフォルト画面中の応用モードキーを操作すると、画像形成装置では、当該ユーザに関連付けられて記録されているカスタマイズ内容としての使用頻度情報を読み出して、この使用頻度情報に基づいてカスタマイズ画面を作成して、表示部に表示する。
この状態から、当該ユーザは、カスタマイズ画面に対して所定の各種設定操作を行なって、スタートボタンを操作する。これにより、画像形成装置は、印刷処理を行なう。
【０００７】
このため、ユーザは、カスタマイズ画面を表示させるためには、デフォルト画面にて応用モードキーを操作する必要があるので、操作が煩雑になってしまう。
また、画像形成装置は応用モードキーが操作されてから、カスタマイズ情報としての使用頻度情報を読み出して、この使用頻度情報に基づいてカスタマイズ画面を作成して、表示させるようになっていることから、カスタマイズ画面が表示されるまでの時間が比較的長くなってしまう。
【０００８】
さらに、カスタマイズ情報の処理は、印刷処理終了後に行なわれるようになっているので、カスタマイズ情報の処理のための待ち時間が発生することになってしまう。
【０００９】
本発明は、上記の問題を解決すべくなされたものであり、ユーザ認証後すぐに当該ユーザ固有のカスタマイズ画面が表示されると共に、ユーザがカスタマイズ情報を設定できるようにした画像形成装置の提供を目的とする。
【課題を解決するための手段】
【００１０】
この目的を達成するため、本発明の請求項１記載の画像形成装置は、ユーザ識別情報を読み取ってユーザ認証を行なうユーザ認証手段と、上記ユーザ認証手段で読み出したユーザ識別情報に基づいて前もって登録されている当該ユーザのカスタマイズ画面のデータを含むカスタマイズ情報を読み出して、カスタマイズ画面を表示部に表示すると共に、カスタマイズ情報を画像形成手段に送出するカスタマイズ手段と、上記カスタマイズ手段からのカスタマイズ情報に基づいて画像情報を形成し、印刷等の画像形成の処理を行なう画像形成手段と、を設けて、上記カスタマイズ手段が、上記カスタマイズ情報に基づいて、表示部にデフォルト画面の代わりに上記カスタマイズ画面を表示させる構成としてある。
【００１１】
画像形成装置をこのような構成とすると、ユーザが画像形成装置により印刷出力等の画像形成を行なわせる場合、まずユーザ認証手段が、ユーザ識別情報を読み取ってユーザ認証を行なった後、カスタマイズ手段が、このユーザ識別情報に基づいて前もって登録されているカスタマイズ情報を読み出して、このカスタマイズ情報に含まれるカスタマイズ画面のデータにより、このカスタマイズ画面をデフォルト画面の代わりに表示部に表示される。
そして、このカスタマイズ情報に基づいて、画像形成手段が印刷等の画像形成の処理を行なう。
【００１２】
この場合、カスタマイズ画面のデータは、カスタマイズ情報と共に前もって登録されているので、上記カスタマイズ手段がカスタマイズ情報を読み出した時、カスタマイズ画面を生成する必要がなく、即時に表示部にカスタマイズ画面が表示されることになる。したがって、ユーザは待ち時間なしにカスタマイズ画面を視認することが可能である。
【００１３】
また、請求項２記載の画像形成装置は、上記カスタマイズ手段が、操作部からの設定内容に対応して上記カスタマイズ情報を更新して、画像形成手段に送出する構成としてある。
画像形成装置をこのような構成とすると、ユーザは、画像形成装置の表示部に表示されたカスタマイズ画面を見ながら、所望の項目について操作部から入力操作を行なうことにより、カスタマイズ情報の設定内容を変更して、この変更を反映させた印刷等の画像形成を行なうことができる。
【００１４】
また、請求項３記載の画像形成装置は、上記カスタマイズ手段が、画像形成手段による画像形成処理の間に、更新されたカスタマイズ情報に基づいて、登録されているカスタマイズ情報を書き換える構成としてある。
画像形成装置をこのような構成とすると、ユーザが設定変更したカスタマイズ情報を、保存されているカスタマイズ情報に上書きにより書き換えて保存することができると共に、この上書き保存が画像形成手段による画像形成処理の間に行なわれることにより、カスタマイズ情報の書き換えのためのユーザの待ち時間がなくなる。
【００１５】
また、請求項４記載の画像形成装置は、上記カスタマイズ情報が、ユーザ識別情報と共に記録媒体に記録されており、この記録媒体に記録されたカスタマイズ情報が、上記ユーザ識別手段により読み書き可能である構成としてある。
画像形成装置をこのような構成とすると、ユーザは、例えばＩＣカード等の記録媒体にユーザ識別情報およびカスタマイズ情報を前もって記録しておき、画像形成装置を利用する場合にはこの記録媒体を携行して画像形成装置の設置場所まで出向くことにより、複数の画像形成装置があったとしても、いずれの画像形成装置においても、当該記録媒体を使用して、同じカスタマイズ情報により、印刷等の画像形成を行なわせることができる。
【００１６】
また、請求項５記載の画像形成装置は、上記カスタマイズ情報が、当該画像形成装置とネットワークを介して接続されたサーバに、上記ユーザ識別情報と関連付けて登録されている構成としてある。
画像形成装置をこのような構成とすると、ユーザ識別情報による認証後に、カスタマイズ手段が、サーバに登録された当該ユーザ識別情報と関連付けられたカスタマイズ情報を読み出すことにより、複数の画像形成装置があったとしても、いずれの画像形成装置においても、当該ユーザ識別情報と関連付けられたカスタマイズ情報をサーバから読み出すことによって、同じカスタマイズ情報により、印刷等の画像形成を行なわせることができる。
【発明の効果】
【００１７】
このようにして、本発明による画像形成装置によれば、ユーザ認証後すぐに当該ユーザ固有のカスタマイズ画面が表示されると共に、ユーザがカスタマイズ情報を設定できるようにした画像形成装置が提供されることになる。
【発明を実施するための最良の形態】
【００１８】
［第一実施形態］
以下、本発明を適用した画像形成装置の第一の実施形態について、図１を参照して説明する。
図１は、本発明による画像形成装置の一実施形態の構成を示している。
図１に示すように、画像形成装置１０は、コピー機能，スキャナ機能を備えた画像形成装置であって、ユーザ認証手段１００と、カスタマイズ手段２００と、画像形成手段３００と、操作パネル４００と、から構成されている。
【００１９】
ここで、上記画像形成装置１０のユーザ認証手段１００，カスタマイズ手段２００および画像形成手段３００は、それぞれコンピュータ上で動作するプログラムにより動作が制御されるようになっている。
【００２０】
上記ユーザ認証手段１００は、この場合、ＩＣカードリーダライタであって、各ユーザ５００が所持する記録媒体としてのＩＣカード５１０に記録されているユーザ識別情報５１１を読み取って、ユーザ認証を行なった後、同様にＩＣカード５１０に記録されているカスタマイズ情報５１２を読み書きするようになっている。
【００２１】
ここで、ユーザ識別情報５１１は、前もって当該ユーザに割り当てられた固有のＩＤであって、上記ユーザ認証手段１００は、例えばこのユーザ識別情報５１１に前もって関連付けられたパスワード等を利用して、当該ユーザ５００の認証を行なうようになっている。
【００２２】
また、上記カスタマイズ情報５１２は、例えば当該ユーザの使用頻度情報等やカスタマイズ画面のデータを含んでいる。
【００２３】
上記カスタマイズ手段２００は、上記ユーザ認証手段１００からのカスタマイズ情報５１２に基づいて、そのカスタマイズ画面のデータを操作パネル４００に送出して、直ちにカスタマイズ画面２２０を操作パネル４００の表示部４１０に表示させる。
【００２４】
尚、カスタマイズ手段２００は、当該ユーザ識別情報に対応するカスタマイズ情報５１２が見つからないときには、前もって設定された標準画面２１０（デフォルト画面）を操作パネル４００の表示部４１０に表示させると共に、当該ユーザに対するカスタマイズ情報５１２を新規作成する。
ここで、新規作成されるカスタマイズ情報５１２は、標準画面２１０の画面と同じカスタマイズ画面のデータを含んでいる。
【００２５】
ここで、上述した標準画面２１０は、例えばカスタマイズ手段２００内に前もって登録されており、図２に示すように構成されている。
すなわち、図２において、操作パネル４００の表示部４１０に表示された標準画面２１０は、機能選択のための機能キー２１１（「コピー」「スキャン」「ＦＡＸ」「Ｅ−ｍａｉｌ」「その他」）と、各種設定キー２１２（「用紙設定」「拡大・縮小」「濃度」「両面・分割」「ステープル」）と、他の画面を選択するためのタグ２１３（「標準」「原稿」「画質」「レイアウト」「その他」）と、を表示するようになっている。
なお、図示の場合、タグ「標準」における機能キー２１１および各種設定キー２１２が表示されている。
【００２６】
この場合、操作パネル４００は、いわゆるタッチパネルとして構成されており、上記各キーまたはタグの表示部分を指先で触れることにより、当該キーまたはタグに割り当てられた設定項目が選択され、あるいは変更されるようになっている。
【００２７】
これに対して、カスタマイズ画面２２０は、例えば図３または図４に示すように構成される。
図３においては、第一のカスタマイズ画面２２０ａが示されており、この第一のカスタマイズ画面２２０ａは、さらに上述した標準画面２１０における機能キー２１１および各種設定キー２１２から成るデフォルト表示キーに加えて、追加表示キー２１４（「用紙種類」「画質」「パンチ」「ステープル」「カラー」等）、そして「その他」キー２１５を表示するようになっている。
【００２８】
ここで、これらの表示されるキーは、当該ユーザの使用頻度情報に基づいて、当該ユーザが過去に所定回数（例えば一回）以上使用した設定または機能に対するキーが選択表示されている。
なお、この場合、標準画面２１０におけるタグに対応する設定内容が、上記追加表示キー２１４（ショートカットキー）として表示されていることから、上記タグが省略されている。したがって、画面表示されていない設定または機能を選択したい場合には、上記「その他」キー２１５を操作すればよい。この「その他」キー２１５の操作により、次画面以降に順次に各設定項目のキーが表示されるようになっている。
【００２９】
さらに、図４においては、別のカスタマイズ画面２２０ｂが示されており、この第二のカスタマイズ画面２２０ｂは、標準画面２１０と比較して、デフォルト表示キー（機能キー２１１および各種設定キー２１２）のうち、当該ユーザが過去に一度も選択しなかった設定または機能が省略されている。
【００３０】
このようにして、上記カスタマイズ手段２００は、ユーザが標準画面２１０またはカスタマイズ画面２２０を参照して、操作パネル４００の操作部を入力操作したときは、この入力操作に対応するカスタマイズの設定変更に基づいて、上記カスタマイズ情報５１２を更新すると共に、設定変更に対応するカスタマイズ画面２２０を作成して、操作パネル４００の表示部４１０に表示させる。
【００３１】
そして、上記カスタマイズ手段２００は、操作パネル４００の操作部４２０にてスタートボタン（図示せず）が操作されたとき、上記カスタマイズ情報５１２を画像形成手段３００に送出すると共に、画像形成手段３００による画像形成の処理中に、更新されたカスタマイズ情報５１２を、ユーザ認証手段１００によりＩＣカード５１０に上書きにより書き換えて、保存する。
【００３２】
上記画像形成手段３００は、外部から入力され、あるいは画像読取手段（図示せず）により読み込んだ画像情報を、カスタマイズ手段２００からのカスタマイズ情報５１２に基づいて、印刷等の画像形成を行なわせるようになっている。
【００３３】
上記操作パネル４００は、画像形成装置１０の例えば上面に設けられた操作パネルとして構成されており、表示部４１０および操作部４２０とを設けてある。
ここで、上記表示部４１０に表示された画面表示に基づいて、ユーザ５００が操作部４２０を入力操作すると、入力操作された入力情報４３０がカスタマイズ手段２００および画像形成手段３００に送出され、この入力情報４３０に基づいて、カスタマイズ手段２００にてカスタマイズ情報２２０が更新され、あるいは画像形成手段３００を作動させて、画像形成を行なわせるようになっている。
【００３４】
次に、本実施形態の画像形成装置１０のカスタマイズ情報の処理動作について、図５のフローチャートを参照して説明する。
図５において、ステップＡ１にて、ユーザ５００がＩＣカード５１０を画像形成装置１０のユーザ認証手段１００に挿入すると、ユーザ認証手段１００が、このＩＣカード５１０からユーザ識別情報５１１を読み取って、ユーザ認証を行なう。
【００３５】
次に、ステップＡ２にて、カスタマイズ手段２００が、ユーザ認証手段１００によりＩＣカード５１０からカスタマイズ情報５１２を検索する。
そして、ステップＡ３にて、カスタマイズ情報５１２が在る場合には、カスタマイズ手段２００は、ユーザ認証手段１００によりカスタマイズ情報５１２を読み込んで、そのカスタマイズ画面２２０のデータを操作パネル４００の表示部４１０に送出し、ステップＡ４にて、この表示部４１０にカスタマイズ画面２２０を表示させる。
【００３６】
上記ステップＡ３にて、カスタマイズ情報５１２がない場合には、カスタマイズ手段２００は、ステップＡ５にて、当該ユーザ５００に関するカスタマイズ情報５１２を新たに作成すると共に、ステップＡ６にて、カスタマイズ画面２２０として標準画面２１０を操作パネル４００の表示部４１０に表示させる。
【００３７】
次に、上記ステップＡ４にて表示されたカスタマイズ画面２２０または上記ステップＡ６にて表示された標準画面２１０に対して、ユーザ５００が、ステップＡ７にて、操作パネル４００の表示部４１０に表示された各キーまたはタブに手指を触れて、設定変更を行なった場合には、カスタマイズ手段２００は、ステップＡ８にて、その設定変更に基づいて、カスタマイズ情報５１２を更新すると共に、ステップＡ９にて、設定変更の内容を反映したカスタマイズ画面２２０を作成して、操作パネル４００の表示部４１０に表示させる。
【００３８】
その後、または設定変更せずに、ユーザ５００が、ステップＡ１０にて、操作パネル４００の操作部４２０にてスタートボタンを操作すると、カスタマイズ手段２００は、ステップＡ１１にて、そのときの最新のカスタマイズ情報５１２を画像形成手段３００に送出し、画像形成手段３００により画像形成を開始させる。
【００３９】
続いて、カスタマイズ手段２００は、ステップＡ１２にて、カスタマイズ情報５１２が更新されている場合には、ステップＡ１３にて、更新されたカスタマイズ情報５１２をユーザ認証手段１００に送出し、ユーザ認証手段１００により当該ユーザ５００のＩＣカード５１０に上書きで保存する。ここで、このカスタマイズ情報５１２の上書き保存は、上述したステップＡ１１で開始された画像形成手段３００による画像形成処理中に行なわれる。
なお、カスタマイズ情報５１２が更新されていない場合には、ステップＡ１３は省略される。
以上で、カスタマイズ情報の処理が終了する。
【００４０】
［第二実施形態］
以下、本発明を適用した画像形成装置の第二の実施形態について、図６を参照して説明する。
図６は、本発明による画像形成装置の第二の実施形態の構成を示している。
図６に示すように、画像形成装置２０は、ＩＣカードがユーザ識別情報５１１のみを記録されていると共に、カスタマイズ手段２００がネットワーク６００を介してサーバ７００に接続されており、各ユーザ５００のカスタマイズ情報５１２が、サーバ７００に登録されている点で異なる構成になっている。
【００４１】
ここで、上記画像形成装置２０のユーザ認証手段１００，カスタマイズ手段２００および画像形成手段３００、そしてサーバ７００は、それぞれコンピュータ上で動作するプログラムにより動作が制御されるようになっている。
また、上記ネットワーク６００は、例えば構内ＬＡＮ等のネットワークであって、上述した画像形成装置２０およびサーバ６００を相互に接続するようになっている。
尚、この場合、上記画像形成装置２０は、一つのみが図示されているが、ネットワーク６００を介して複数個の画像形成装置２０がサーバ６００に対して接続されていてもよい。
【００４２】
ここで、上記ユーザ認証手段１００は、ユーザ認証を行なった後、上記ユーザ識別情報５１１をカスタマイズ手段２００に送出する。
これにより、上記カスタマイズ手段２００は、ネットワーク６００を介してサーバ７００にアクセスして、当該ユーザ識別情報５１１に関連付けられたカスタマイズ情報５１２を読み出すようになっている。
【００４３】
さらに、上記カスタマイズ手段２００は、画像形成手段３００による画像形成の処理中に、更新されたカスタマイズ情報５１２を、ネットワーク６００を介してサーバ７００にアクセスして、登録されているカスタマイズ情報の代わりに、更新されたカスタマイズ情報５１２を上書きにより書き換えて、保存する。
【００４４】
次に、本実施形態の画像形成装置２０のカスタマイズ情報の処理動作について、図７のフローチャートを参照して説明する。
図７において、ステップＢ１にて、ユーザ５００がＩＣカード５１０を画像形成装置１０のユーザ認証手段１００に挿入すると、ユーザ認証手段１００が、このＩＣカード５１０からユーザ識別情報５１１を読み取って、ユーザ認証を行なうと共に、ユーザ識別情報５１１をカスタマイズ手段２００に送出する。
【００４５】
次に、ステップＢ２にて、カスタマイズ手段２００が、ユーザ認証手段１００からのユーザ識別情報５１１により、ネットワーク６００を介してサーバ７００から当該ユーザ識別情報５１１に関連付けられたカスタマイズ情報５１２を検索する。
そして、ステップＢ３にて、カスタマイズ情報５１２が在る場合には、カスタマイズ手段２００は、ネットワーク６００を介してサーバ７００からカスタマイズ情報５１２を読み込んで、そのカスタマイズ画面のデータを操作パネル４００の表示部４１０に送出し、ステップＢ４にて、この表示部４１０にカスタマイズ画面２２０を表示させる。
【００４６】
上記ステップＢ３にて、カスタマイズ情報５１２がない場合には、カスタマイズ手段２００は、ステップＢ５にて、当該ユーザ５００に関するカスタマイズ情報５１２を新たに作成すると共に、ステップＢ６にて、カスタマイズ画面２２０として標準画面２１０を操作パネル４００の表示部４１０に表示させる。
【００４７】
次に、上記ステップＢ４にて表示されたカスタマイズ画面２２０または上記ステップＢ６にて表示された標準画面２１０に対して、ユーザ５００が、ステップＢ７にて、操作パネル４００の表示部４１０に表示された各キーまたはタブに手指を触れて、設定変更を行なった場合には、カスタマイズ手段２００は、ステップＢ８にて、その設定変更に基づいて、カスタマイズ情報５１２を更新すると共に、ステップＢ９にて、設定変更の内容を反映したカスタマイズ画面２２０を作成して、操作パネル４００の表示部４１０に表示させる。
【００４８】
その後、または設定変更せずに、ユーザ５００が、ステップＢ１０にて、操作パネル４００の操作部４２０にてスタートボタンを操作すると、カスタマイズ手段２００は、ステップＢ１１にて、そのときの最新のカスタマイズ情報５１２を画像形成手段３００に送出し、画像形成手段３００により画像形成を開始させる。
【００４９】
続いて、カスタマイズ手段２００は、ステップＢ１２にて、カスタマイズ情報５１２が更新されている場合には、ステップＢ１３にて、更新されたカスタマイズ情報５１２を、ネットワーク６００を介してサーバ７００に送出し、上書き保存する。ここで、このカスタマイズ情報５１２の上書き保存は、上述したステップＢ１１で開始された画像形成手段３００による画像形成処理中に行なわれる。
なお、カスタマイズ情報５１２が更新されていない場合には、ステップＢ１３は省略される。
以上で、カスタマイズ情報の処理が終了する。
【００５０】
以上、本発明の画像形成装置について、好ましい実施形態を示して説明したが、本発明にかかる画像形成装置は、上述した実施形態にのみ限定されるものではなく、本発明の範囲内で種々の変更実施が可能であることはいうまでもない。
【００５１】
例えば、上述した実施形態においては、ユーザ認証は、ＩＤおよびパスワードの照合によって行なわれるようになっているが、これに限らず、例えば指紋認証，掌紋認証等の個々の人体固有の情報を利用した認証方式等も使用することができる。
【００５２】
また、上述した実施形態においては、標準画面２１０は、カスタマイズ手段２００内に前もって登録されているが、これに限らず、例えばＩＣカード５１０内に各種設定がデフォルト値に設定された状態で、カスタマイズ情報５１２が登録されていてもよい。
【産業上の利用可能性】
【００５３】
本発明は、画像形成装置、例えばプリンタ機能およびコピー機能を備えたデジタル複合機等に利用可能である。
【図面の簡単な説明】
【００５４】
【図１】本発明による画像形成装置の第一の実施形態の構成を示すブロック図である。
【図２】図１の画像形成装置における標準画面の構成例を示す概略図である。
【図３】図１の画像形成装置におけるカスタマイズ画面の第一の構成例を示す概略図である。
【図４】図１の画像形成装置におけるカスタマイズ画面の第二の構成例を示す概略図である。
【図５】図１の画像形成装置におけるカスタマイズ情報の処理を示すフローチャートである。
【図６】本発明による画像形成装置の第二の実施形態の構成を示すブロック図である。
【図７】図６の画像形成装置におけるカスタマイズ情報の処理を示すフローチャートである。
【符号の説明】
【００５５】
１０    画像形成装置
１００  ユーザ認証手段
２００  カスタマイズ手段
２１０  標準画面
２１１  機能キー
２１２  各種設定キー
２１３  タグ
２１４  追加表示キー
２１５  「その他」キー
２２０  カスタマイズ画面
２２０ａ  第一のカスタマイズ画面
２２０ｂ  第二のカスタマイズ画面
３００  画像形成装置
４００  操作パネル
４１０  表示部
４２０  操作部
４３０  入力情報
５００  ユーザ
５１０  ＩＣカード（記録媒体）
５１１  ユーザ識別情報
５１２  カスタマイズ情報
６００  ネットワーク
７００  サーバ
【図１】
2007055099.tif 000003
【図２】
2007055099.tif 000004
【図３】
2007055099.tif 000005
【図４】
2007055099.tif 000006
【図５】
2007055099.tif 000007
【図６】
2007055099.tif 000008
【図７】
2007055099.tif 000009